(57)【特許請求の範囲】
【請求項１】
左右一対の縦材と両縦材の上端部をつなぐ横材とからなる足場用建枠の前後に対向する両横材間に足場板を架け渡して組み立てられる枠組足場の組立に使用される安全手摺であって、
両足場用建枠の対向する両縦材間に配置されてクランプで各縦材に固定される手摺取付基枠と、この手摺取付基枠の上方で前記両縦材間に配置されてクランプで各縦材に固定される外枠に、内枠を外枠に対し上下方向伸縮自在に取付けると共に、この内枠を外枠内に収まった収縮位置と外枠から下方へ伸張突出した伸張位置で外枠に対し固定可能としてなる手摺本体と、前記外枠の両側端部に夫々取り付けられ、外枠を足場用建枠の縦材に沿って案内するガイド手段と、前記内枠の下端部に設けられ、前記手摺取付基枠の上端部に対し係脱自在な係止部材と、からなる安全手摺。
【請求項２】
前記ガイド手段は、手摺本体外枠の側端部にブラケットを突設し、このブラケットに、足場用建枠の縦材を内外両側から挟持するような内外一対のガイド板を取り付けると共に、両ガイド板のうち少なくとも内側のガイド板は足場用建枠の横材を乗り越えるように回転羽根形のガイド板とし、両ガイド板の間には前記縦材の側面に転接又は摺接する可能な駒片を取り付けたものからなる請求項１に記載の安全手摺。
【発明の詳細な説明】
【０００１】
【発明の属する技術分野】
本発明は、建設作業現場において、左右一対の縦材と両縦材の上端部をつなぐ横材とからなる足場用建枠の前後に対向する両横材間に足場板を架け渡して組み立てられる枠組足場の組立に使用する安全手摺に関する。
【０００２】
【従来の技術】
枠組足場は、左右一対の縦材と両縦材の上端部をつなぐ横材とからなる門形の足場用建枠を前後に一定間隔おきに対向配置して、両足場用建枠の対向する両縦材間にブレスを掛張し、両横材間に足場板を架け渡しつつ、足場用建枠を上方に継ぎ足して、順次多段状に足場を組み立ててゆくわけであるが、下段側足場用建枠の横材間に足場板を架け渡した後、足場用建枠を継ぎ足して上段側足場を組み立てる際には、その組立作業に先立って作業用の安全手摺を設置し、足場組立作業の安全を図っている。
【０００３】
【発明が解決しようとする課題】
従来にあっては、予め所要形状に枠組み形成された安全手摺を、下段側足場用建枠の縦材にパイプクランプで取り付け、上段側足場の組立が終われば、その手摺を取り外して、更にその上の段の足場用建枠の縦材に付け換えるようにしている。しかしながら、従来の安全手摺は、各段の足場を組み立てる毎に安全手摺を足場用建枠から完全に切り離して付け替えを行う必要があるため、その付け替え作業に非常に手間がかかって、足場の組立作業能率が低下する上に、安全手摺の付け替え時にその安全手摺を落下させる危険性があった。
【０００４】
本発明は、上記の問題に鑑み、付け替え作業を容易且つ安全に行える安全手摺を提供することを目的とする。
【０００５】
【課題を解決するための手段】
請求項１に係る発明の安全手摺は、左右一対の縦材１，１と両縦材１，１の上端部をつなぐ横材２とからなる足場用建枠４の前後に対向する両横材２，２間に足場板６を架け渡して組み立てられる枠組足場の組立に使用される安全手摺であって、両足場用建枠４，４の対向する両縦材１，１間に配置されてクランプ１３で各縦材１に固定される手摺取付基枠１０と、この手摺取付基枠１０の上方で前記両縦材１，１間に配置されてクランプ１１で各縦材１に固定される外枠７に、内枠８を外枠７に対し上下方向伸縮自在に取付けると共に、この内枠８を外枠７内に収まった収縮位置と外枠７から下方へ伸張突出した伸張位置で外枠７に対し固定可能としてなる手摺本体９と、前記外枠７の両側端部に夫々取り付けられ、外枠７を足場用建枠４の縦材１に沿って案内するガイド手段１２と、前記内枠８の下端部に設けられ、前記手摺取付基枠１０の上端部に対し係脱自在な係止部材１４と、からなることを特徴とする。
【０００６】
請求項２は、請求項１に記載の安全手摺において、前記ガイド手段１２は、手摺本体外枠７の側端部にブラケット３３を突設し、このブラケット３３に、足場用建枠４の縦材１を内外両側から挟持するような内外一対のガイド板３４，３５を取り付けると共に、両ガイド板３４，３５のうち少なくとも内側のガイド板３４は足場用建枠４の横材２を乗り越えるように回転羽根形のガイド板とし、両ガイド板３４，３５の間には前記縦材１の側面に転接又は摺接する可能な駒片３７を取り付けたものからなることを特徴とする。
【０００７】
【発明の実施の形態】
以下に、本発明に係る安全手摺の一実施形態について、図１〜図１６を参照して説明する。図１は、図１２の斜視図で示される安全手摺Ｔに対応する正面図、図２は、図１４の斜視図で示される安全手摺Ｔに対応する正面図であり、この安全手摺Ｔの各部の詳細構造を図３〜図１０に示す。
【０００８】
この安全手摺Ｔは、図１２から分かるように、両足場用建枠４，４の対向する両縦材１，１間に配置されてクランプ１３により各縦材１に固定される手摺取付基枠１０と、この手摺取付基枠１０の上方で前記両縦材１，１間に配置されてクランプ１１により各縦材１に固定される外枠７に、内枠８を外枠７に対し上下スライド自在にして伸縮自在に取付けると共に内枠８を外枠７内に収まった収縮位置と外枠７から下方へ伸張突出した伸張位置とで固定可能とした手摺本体９と、この手摺本体９の外枠７の両側端部に夫々取り付けられていて、外枠７を足場用建枠４の縦材１に沿って案内するガイド手段１２と、前記手摺本体９の内枠８の下端部に設けられていて、手摺取付基枠１０の上端部に対し係脱自在な係止部材１４と、から構成される。上記手摺取付基枠１０は、これの上方に設置される手摺本体９の高さを設定するもので、手摺取付基枠１０の設置高さが手摺本体９の上端位置を決定する。
【０００９】
図１〜図３及び図５に示すように、手摺本体９は、外枠７と、この外枠７内に上下スライド自在に取付けられた内枠８とからなり、外枠７は、正面視略下向きコ字状に形成された外枠本体１５の内側に左右一対の補強桟１６，１６を連結すると共に、両補強桟１６，１６の夫々内側に断面内向きコ字形のガイドール１７，１７を取付けることによって形成される。内枠８は、外枠７の両ガイドール１７，１７にスライド自在に嵌合される両側一対の縦桟１８，１８と、両縦桟１８，１８の上端部相互、中間部相互及び下端部相互を夫々つなぐ上中下の横桟１９，２０，２１とにより矩形枠状に形成されていて、図１及び図３に示すように外枠７内に収まった収縮位置と、図２に示すように外枠７から下方へ伸張突出した伸張位置で夫々ロック機構２２によって外枠７に固定されるようになっている。この内枠８の両縦桟１８，１８の夫々下端部に下向きコ字状の係止部材１４，１４が固着されている。
【００１０】
図３、図７、図８及び図９から分かるように、内枠８の上部横桟１９には、内枠８が伸張位置で外枠７下端部の当接板２７に当接して外枠７から脱落しないように保持するためのストッパー２３が左右２箇所に設けられている。当接板２７は、図３及び図８に示すように外枠７の両ガイドール１７，１７の下端部間に架け渡されている。
【００１１】
内枠８を収縮位置と伸張位置で外枠７に対し固定する（ロックする）ロック機構２２は、図７及び図９から分かるように、内枠８の上部横桟１９に取り付けた複数の支承部材２４に左右一対のロックピン２５，２５を上部横桟１９と平行に左右方向スライド自在に支承すると共に、各ロックピン２５と支承部材２４の間に各ロックピン２５を外方側へ突出付勢させるためのコイルバネ２６を介装し、各ロックピン２５の内端部を直角に折曲して操作部２５ａを形成してなるもので、内枠８が外枠７内に収まった収縮位置では、図７に示すようにコイルバネ２６の付勢力で各ロックピン２５の外端部２５ｂをガイドール１７の上端側ピン孔１７ａに挿通させてロックし、内枠８が外枠７の下端から下方へ伸張突出した伸張位置では、図８に示すように各ロックピン２５の外端部２５ｂをガイドール１７の下端側ピン孔１７ｂに挿通させてロックするようになっている。
【００１２】
図１、図３及び図７は手摺本体９の内枠８が外枠７内に収まった収縮位置で内枠８ロック機構２２によってロックされている状態を示すが、この状態から内枠８を外枠７に対して下方へ伸張させる時は、両ロックピン２５，２５の操作部２５ａ，２５ａをコイルバネ２６，２６の付勢力に抗して互いに近づく方向へ引き寄せ、両ロックピン２５，２５の外端部２５ｂ，２５ｂをガイドール１７，１７の上端側ピン孔１７ａ，１７ａから引き抜くことによってロックを解除する。この内枠８が図２に示すように外枠７に対し最大限伸張した位置に来ると、図８から分かるように、コイルバネ２６，２６の付勢力により両ロックピン２５，２５の外端部２５ｂ，２５ｂがガイドール１７，１７の下端側ピン孔１７ｂ，１７ｂに係入して伸張位置に自動的にロックされる。この伸張位置から内枠８を収縮スライドさせる時も、内枠８が外枠７内に完全に収まった収縮位置に来ると、同様に両ロックピン２５，２５の外端部２５ｂ，２５ｂがガイドール１７，１７の上端側ピン孔１７ａ，１７ａに係入して自動的にロックされる。
【００１３】
手摺取付基枠１０は、図１及び図１１に示すように、左右縦桟１０ａ，１０ａと上下横桟１０ｂ，１０ｃとによって横長矩形枠状に形成されたもので、この手摺取付基枠１０の上部横桟１０ｂに、手摺本体９の内枠８下端部に突設された係止部材１４，１４が上方から係脱自在に係止されるようになっている。
【００１４】
手摺本体９を足場用建枠４の縦材１に固定するためのクランプ１１は、周知のパイプクランプからなるもので、図４の(a) 〜(c) 及び図１０の(a) に示すように、クランプ本体２８に連設された取付金具２９を外枠本体１５の縦桟１５ａにボルト・ナット３０によって取り付け固定し、クランプ本体２８とこれに開閉自在に枢着されたクランプアーム３１とで足場用建枠４の縦材１を抱持し、締付用ボルト・ナット３２によって固定するようにしたものである。取付金具２９は、ボルト・ナット３０を緩めることによって、図１０の(a) に示すように外枠本体１５の縦桟１５ａに対し上下スライド可能で回転可能となる。
【００１５】
手摺取付基枠１０を足場用建枠４の縦材１に固定するためのクランプ１３は、上記クランプ１１と全く同じもので、クランプ本体２８、取付金具２９、ボルト・ナット３０、クランプアーム３１及び締付用ボルト・ナット３２からなり、取付金具２９は手摺取付基枠１０の縦桟１０ａに対しスライド可能で回転可能に取り付け固定される。
【００１６】
手摺本体９を足場用建枠４の縦材１に沿って案内するガイド手段１２は、図４の(a) ，(b) ，(d) 及び図１０の(b) に示すように、外枠本体１５の縦桟１５ａの下端部に平面視コ字形のブラケット３３を突設し、このブラケット３３に、足場用建枠４の縦材１を内外両側から挟持するような内外一対の回転羽根形のガイド板３４，３５を軸３６により回転自在に取り付けると共に、両ガイド板３４，３５の間に前記縦材１の側面に沿って転接可能な駒片３７を軸３８で回転自在に取り付け取り付けてなるもので、手摺本体９を両足場用建枠４，４の対向する縦材１，１間でスライドさせる時に、内外一対の回転羽根形ガイド板３４，３５が縦材１に係合した状態でスライドしつつ、駒片３７がその縦材１に転接しながら、手摺本体７の外枠７を案内するようになっている。
【００１７】
この場合、内外両回転羽根形ガイド板３４，３５のうち内側ガイド板３４は、手摺本体９のスライド中に足場用建枠４の横材２（縦材１の内側に位置する）に当たることによって回転するから、この横材２に邪魔されることなく縦材１に沿ってスライドすることができる。外側のガイド板３５は、手摺本体９のスライド中に横材２に当たることはないから、回転羽根形に形成しなくてもよい。
【００１８】
図１、図２、図１１〜図１６において３９は、手摺取付基枠１０の下端側を足場用建枠４の縦材１に対し動かないように止める留め金で、手摺取付基枠１０の左右両縦桟１０ａ，１０ａの夫々下端部と足場用建枠４の縦材１とに夫々差し込んで係止され、両留め金３９，３９は図１１〜図１６から分かるように互いに反対側から手摺取付基枠１０の縦桟１０ａと足場用建枠４の縦材１とに係止される。また、図３及び図７において４０は、手摺本体９の外枠７を補強するために両ガイドール１７，１７間に架け渡された補強桟である。
【００１９】
次に、上記のように構成される安全手摺Ｔを使用して枠組足場を組み立てる組立方法について、図１１〜図１６を中心に他の図も適宜に参照して説明する。
【００２０】
先ず、図１１に示すように、一対の足場用建枠４，４を前後に対向配置して、両足場用建枠４，４の対向する縦材１，１間にブレス５，５を掛張し、両横材２，２間に足場板６を架け渡すことによって、１段目の足場を組み立て、しかしてこの１段目足場の下部側に同図のように手摺取付基枠１０を設置する。この手摺取付基枠１０は、これの上方に設置される手摺本体９の高さを設定するもので、手摺取付基枠１０の設置高さが手摺本体９の上端位置を決定することになる。
【００２１】
この手摺取付基枠１０の設置にあたっては、左右の縦桟１０ａ，１０ａに夫々取り付けてあるクランプ１３を足場用建枠４の縦材１の所要高さ位置に掴持させ、留め金３９を手摺取付基枠１０の縦桟１０ａと足場用建枠４の縦材１とに係止させればよい。尚、図１１には、図面の表示が複雑となる関係上、手摺取付基枠１０を１段目足場の手前側にのみ設置した状態を示しているが、実際には当該足場の奥側にも同様に設置する。この手摺取付基枠１０の上方に設置される手摺本体９についても同様であり、また以下に説明する図１２〜図１６についても同様である。
【００２２】
上記のようにして１段目足場の下部側に手摺取付基枠１０を設置したならば、図１２に示すように、この１段目足場の上部側に手摺本体９を設置する。この手摺本体９の設置にあたっては、両足場用建枠４，４の対向する縦材１，１間に手摺本体９の外枠７を挿入して、外枠７に取り付けてある各ガイド手段１２を縦材１に係合させると共に、同じく外枠７に取り付けてあるクランプ１１を縦材１の所要高さ位置に掴持させ、そして内枠８の下端部に設けてある係止部材１４を手摺取付基枠１０の上部横桟１０ｂに係止させればよい。
【００２３】
こうして手摺取付基枠１０の上方に手摺本体９を取り付けることによって安全手摺Ｔが図１２のように設置され、２段目足場の組立作業、即ち１段目の足場用建枠４に２段目の足場用建枠４を継ぎ足す作業、この継ぎ足した両足場用建枠４，４の縦材１，１間にブレス５，５を掛張する作業、及び横材２，２間に足場板６を架け渡す作業を夫々安全に行うことができる。このような作業によって２段目足場の組立が終了した状態を図１３に示す。
【００２４】
２段目足場の組立作業を終えたならば、手摺本体９の外枠７を縦材１に固定しているクランプ１１を解放（クランプ解除）して、このクランプ１１を縦材１から退避する方向に回転させた後、手摺本体９の内枠８を収縮位置で外枠７に対し固定（ロック）しているロック機構２２のロックを解除し、内枠８を手摺取付基枠１０に押し付けた状態（内枠８下端部の係止部材１４を手摺取付基枠１０の上部横桟１０ｂに係止させた状態）で外枠７を上方へ押し上げて、内枠８を外枠７に対し伸張させ、しかして内枠８が外枠７に対し最大限伸張した位置で外枠７をクランプ１１によって２段目足場用建枠４の縦材１に固定させる。この時、内枠８が最大限伸張して外枠７が上方へ最大限押し上げられた位置が上段側足場用（３段目足場用）の安全手摺Ｔの設置位置となる。この状態を図１４に示す。
【００２５】
手摺本体９の外枠７を引き上げる際には、内枠８が係止部材１４を介して手摺取付基枠１０に支持されていると共に、外枠７の両側端部がガイド手段１２，１２により両足場用建枠４，４の縦材１，１に保持された状態で案内されるから、外枠７の押し上げ作業をスムーズに安定良く行うことができる。また、外枠７を押し上げた時、内枠８が外枠７に対し最大限伸張した位置でロック機構２２によって自動的に内枠８が外枠７に固定（ロック）されるから、外枠７の位置決め操作が非常に簡単となり、安全手摺Ｔの付け替え作業が簡単容易となる。
【００２６】
図１４に示すように手摺本体９の内枠８が外枠７に対し最大限伸張した状態に外枠７を最大限押し上げて、この外枠７をクランプ１１で縦材１に固定した後、ロック機構２２のロックを解除した状態で内枠８を押し上げて収縮させ、図１５に示すような状態とする。この際、内枠８を押し上げると、内枠８が外枠７内に完全に収まった収縮位置でロック機構２２によって内枠８が外枠７に自動的にロックされる。
【００２７】
この後、図１６に示すように、手摺本体９の下方に手摺取付基枠１０を新たに配置して、その上部横桟１０ｂに手摺本体９の内枠８の係止部材１４が係止する位置でその手摺取付基枠１０をクランプ１１及び留め金３９によって縦材１に固定する。これによって、１段目足場用建枠４から２段目足場用建枠４への安全手摺Ｔの付け替え作業が完了し、３段目足場組立用の安全手摺Ｔがその３段目足場の組立に先行して設置された状態となる。従って、この状態で３段目足場の組立作業、即ち２段目の足場用建枠４に３段目の足場用建枠４を継ぎ足す作業、この継ぎ足した両足場用建枠４，４の縦材１，１間にブレス５，５を掛張する作業、及び横材２，２間に足場板６を架け渡す作業を夫々安全に行うことができる。
【００２８】
上記のようにして３段目足場の組立作業を終えた後は、図１３〜図１５で説明した一連の作業と同じ作業を行って、安全手摺Ｔを２段目足場用建枠４から３段目足場用建枠４に付け替え、以降は、上述した作業と同じ作業を繰り返し行い、各段毎に上段側足場の組立に先立って安全手摺Ｔを設置しながら、順次多段状に足場を組み立ててゆく。
【００２９】
以上の説明から分かるように、上段側足場の組立に先行して下段側足場に安全手摺Ｔを設置しながら漸次上段へ足場を組み立てるようにするものであって、この安全手摺Ｔの設置にあたっては、既に組み立てた下段側足場に、手摺取付基枠１０を取り付けると共に、手摺取付基枠１０の上方に手摺本体９を取り付けて、手摺本体９の内枠８下端部に設けた係止部材１４を手摺取付基枠１０の上端部に係止させることによって手摺本体９を手摺取付基枠１０に支持させるようにし、しかして上段側足場の組立を終えた後、手摺本体９の内枠８を手摺取付基枠１０に押し付けた状態で外枠７を上段側足場まで押し上げて内枠８を外枠７に対し下方に伸張させることによって、下段側足場から上段側足場への安全手摺Ｔの付け替えを行うようにするから、その付け替え作業中に手摺本体９等の手摺構成部材を落下させるおそれがなく、作業の安全を図ることができる。
【００３０】
また、手摺本体９の外枠７を押し上げる時には、内枠８が係止部材１４を介して手摺取付基枠１０に支持されていると共に、外枠７の両側端部がガイド手段１２，１２により両足場用建枠４，４の縦材１，１に保持された状態で案内されるから、外枠７の押し上げ作業をスムーズ且つ安定良く行うことができる。また、手摺本体９の内枠８は、外枠７内に完全に収まった収縮位置と、外枠７を押し上げて内枠８が外枠７から下方へ最大限伸張突出した伸張位置とにおいて夫々ロック機構２２により外枠７に自動的にロックされるようになっているから、外枠７の押し上げ操作を容易に行えると共に、安全手摺Ｔの付け替え作業を迅速容易に行うことができる。
【００３１】
【発明の効果】
請求項１に係る発明の安全手摺は、両足場用建枠の対向する両縦材間に配置されてクランプで縦材に固定される手摺取付基枠と、この基枠の上方で両縦材間に配置されてクランプで縦材に固定される外枠に、内枠を外枠に対し伸縮自在に取付けると共に、この内枠を外枠内に収まった収縮位置と外枠から下方へ伸張突出した伸張位置とで外枠に対し固定可能とした手摺本体と、外枠を足場用建枠の縦材に沿って案内するガイド手段と、内枠の下端部に設けられ、手摺取付基枠の上端部に対し係脱自在な係止部材とを備え、上段側足場の組立に先行して下段側足場に設置するようにしたもので、この安全手摺の設置にあたっては、既に組み立てた下段側足場に、手摺取付基枠を取り付けると共に、手摺取付基枠の上方に手摺本体を取り付けて、手摺本体の内枠下端部に設けた係止部材を手摺取付基枠の上端部に係止させることによって手摺本体を手摺取付基枠に支持させ、しかして上段側足場の組立を終えた後、手摺本体の内枠を手摺取付基枠に押し付けた状態で外枠を上段側足場まで押し上げて内枠を外枠に対し下方に伸張させて、下段側足場から上段側足場への安全手摺の付け替えを行うようにすることによって、その付け替え作業中に手摺本体等の手摺構成部材を落下させるおそれがなく、付け替え作業を安全を行うことができる。また手摺本体の外枠を押し上げる時には、内枠が係止部材を介して手摺取付基枠に支持されていると共に、外枠の両側端部がガイド手段によって両足場用建枠の縦材に保持された状態で案内されるから、外枠の押し上げ作業をスムーズ且つ安定良く行うことができる。
【００３２】
上記ガイド手段として、請求項２に記載のような構成とすれば、手摺本体の外枠を下段側足場から上段側足場へ押し上げる際に、ガイド手段の一部が足場用建枠の横材に引っ掛からず、外枠を上方へスムーズに安定状態でスライドさせることができる。
【図面の簡単な説明】
【図１】  図１２の斜視図に示される安全手摺に対応する正面図である。
【図２】  図１４の斜視図に示される安全手摺に対応する正面図である。
【図３】  安全手摺の手摺本体を示す斜視図である。
【図４】  (a) は図１の矢印Ａで示される部分の拡大正面図、(b) は左側面図、(c) は平面図、(d) は底面図である。
【図５】  (a) は図１の矢印Ｂで示される部分の拡大正面図、(b) は平面図図、(c) は右側面図である。
【図６】  (a) は図７の(a) のＦ−Ｆ線拡大断面図、(b) は図７の(a) のＧ−Ｇ線拡大断面図、(c) は図８のＨ−Ｈ線拡大断面図である。
【図７】  (a) は図１の矢印Ｃで示される部分の拡大正面図、(b) は(a) のＥ−Ｅ線断面図である。
【図８】  図２の矢印Ｄで示される部分の拡大正面図である。
【図９】  ロック機構を示す斜視図である。
【図１０】  (a) はクランプを示す斜視図、(b) はガイド手段を示す斜視図である。
【図１１】  １段目足場に手摺取付基枠を取り付けた状態を示す斜視図である。
【図１２】  １段目足場に手摺取付基枠及び手摺本体を取り付けた状態を示す斜視図である。
【図１３】  ２段目足場を組み立てた状態を示す斜視図である。
【図１４】  手摺本体の外枠を２段目足場側へ押し上げた状態を示す斜視図である。
【図１５】  手摺本体の外枠を２段目足場側へ押し上げた後、内枠を外枠に収納した状態を示す斜視図である。
【図１６】  ２段目足場側に安全手摺を付け替え終わった状態を示す斜視図である。
【符号の説明】
１            足場用建枠の縦材
２            足場用建枠の横材
４            足場用建枠
５            ブレス
６            足場板
７            手摺本体の外枠
８            手摺本体の内枠
９            手摺本体
１０          手摺取付基枠
１２          ガイド手段
１１，１３    クランプ
１４          係止部材
Ｔ            安全手摺
３３          ブラケット
３４          内側のガイド板
３５          外側のガイド板
３７          駒片
【図１】
0003650736.tif 000002
【図２】
0003650736.tif 000003
【図３】
0003650736.tif 000004
【図４】
0003650736.tif 000005
【図５】
0003650736.tif 000006
【図６】
0003650736.tif 000007
【図７】
0003650736.tif 000008
【図８】
0003650736.tif 000009
【図９】
0003650736.tif 000010
【図１０】
0003650736.tif 000011
【図１１】
0003650736.tif 000012
【図１２】
0003650736.tif 000013
【図１３】
0003650736.tif 000014
【図１４】
0003650736.tif 000015
【図１５】
0003650736.tif 000016
【図１６】
0003650736.tif 000017